【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
ディスプレイ及びユーザインタフェース選択装置を有するコンピュータシステムにおいて、前記ディスプレイ上にグラフィカルユーザインタフェースを提供する方法であって、
前記方法は、
（ａ）少なくとも２つのテキストボックスオブジェクトを生成するステップと、
（ｂ）前記少なくとも２つのテキストボックスオブジェクトの間の関係を示す少なくとも１つの視覚補助機能を前記ディスプレイ上に表示するステップと
を含むことを特徴とする方法。
【請求項２】
前記少なくとも２つのテキストボックスオブジェクトの間の関係を示す少なくとも１つの視覚補助機能を前記ディスプレイ上に表示する前記ステップ（ｂ）は、色付き境界で該テキストボックスオブジェクトを表示するステップを含むことを特徴とする請求項１に記載の方法。
【請求項３】
前記少なくとも２つのテキストボックスオブジェクトを色付き境界で表示する前記ステップ（ｂ）は、前記少なくとも２つのテキストボックスオブジェクトを互いに連結するときに、前記少なくとも２つのテキストボックスオブジェクトを同じ色付き境界で表示するステップを含むことを特徴とする請求項２に記載の方法。
【請求項４】
前記少なくとも２つのテキストボックスオブジェクトを色付き境界で表示する前記ステップ（ｂ）は、前記少なくとも２つのテキストボックスオブジュクトを互いに連結しないときに、前記少なくとも２つのテキネトボックスオブジェクトを異なる色付き境界で表示するステップを含むことを特徴とする請求項２に記載の方法。
【請求項５】
前記少なくとも２つのテキストボックスオブジェクトの間の関係を示す少なくとも１つの視覚補助機能を前記ディスプレイ上に表示する前記ステップ（ｂ）は、前記少なくとも２つのテキストボックスオブジェクトが連結テキストボックスオブジェクトの少なくとも１つのチェーン内にあるときに、前記少なくとも２つのテキストボックスオブジェクトの相対位置を示す数字を前記少なくとも２つのテキストボックスオブジェクト上に表示するステップを含むことを特徴とする請求項１に記載の方法。
【請求項６】
前記少なくとも２つのテキストボックスオブジェクトの間の関係を示す少なくとも１つの視覚補助機能を前記ディスプレイ上に表示する前記ステップ（ｂ）は、前記少なくとも２つのテキストボックスオブジェクトを同一の連結テキストボックスオブジェクトチェーン内で連結する際に、前記少なくとも２つのテキストボックスオブジェクトの少なくとも一部の表示を振動させるステップを含むことを特徴とする請求項１に記載の方法。
【請求項７】
前記少なくとも２つのテキストボックスオブジェクトの間の関係を示す少なくとも１つの視覚補助機能を前記ディスプレイ上に表示する前記ステップ（ｂ）は、前記少なくとも２つのテキストボックスオブジェクトを互いから分離する際に、前記少なくとも２つのテキストボックスオブジェクトの少なくとも一部の表示を振動させるステップを含むことを特徴とする請求項１に記載の方法。
【請求項８】
前記少なくとも２つのテキストボックスオブジェクトの間の関係が変化するときに、前記ディスプレイ上の前記少なくとも１つの視覚補助機能の外観を変更するステップ（ｃ）をさらに含むことを特徴とする請求項１に記載の方法。
【請求項９】
前記少なくとも１つの視覚補助機能の外観を変更する前記ステップ（ｃ）は、前記少なくとも２つのテキストボックスオブジェクトのうちの第１のテキストボックスオブジェクトの境界の色を、前記第１のテキストボックスオブジェクトが第２のテキストボックスオブジェクトに連結された後に、変更するステップを含むことを特徴とする請求項８に記載の方法。
【請求項１０】
前記少なくとも１つの視覚補助機能の外観を変更する前記ステップ（ｃ）は、前記少なくとも２つのテキストボックスオブジェクトのうちの第１のテキストボックスオブジェクトの境界の色を、前記第１のテキストボックスオブジェクトが第２のテキストボックスオブジェクトから分離された後に、変更するステップを含むことを特徴とする請求項８に記載の方法。
【請求項１１】
前記少なくとも２つのテキストボックスオブジェクトの間の関係を示す少なくとも１つの視覚補助機能を前記ディスプレイ上に表示する前記ステップ（ｂ）は、前記少なくとも２つのテキストボックスオブジェクトが連結テキストボックスオブジェクトの少なくとも１つのチェーン内にあるときに、前記少なくとも２つのテキストボックスオブジェクトの相対位置を示す数字を前記少なくとも２つのテキストボックスオブジェクト上に表示するステップを含むことと、
前記少なくとも１つの視覚補助機能の外観を変更する前記ステップ（ｃ）は、前記少なくとも２つのテキストボックスオブジェクトのうちの第１のテキストボックスオブジェクト上の数字を、連結テキストボックスオブジェクトチェーン内の第１のテキストボックスオブジェクトの相対位置が変化するときに、変更するステップを含むことと
を特徴とする請求項８に記載の方法。
【請求項１２】
前記ユーザインタフェース選択装置によりスクリーンカーソルが前記テキストボックスオブジェクト上にあるとき、前記少なくとも１つの視覚補助機能をただ表示するだけであるステップをさらに含むことを特徴とする請求項１に記載の方法。
【請求項１３】
ディスプレイ及びユーザインタフェース選択装置を有するコンピュータシステムにおいて、前記ディスプレイ上にグラフィカルユーザインタフェースを提供する方法であって、
前記方法は、
（ａ）テキストボックスオブジェクトを生成するステップと、
（ｂ）前記テキストボックスオブジェクトを、前記テキストボックスオブジェクトに関連付けられた少なくとも１つの視覚補助機能で表示するステップであって、該少なくとも１つの視覚補助機能は、１）前記テキストボックスオブジェクトが２つ以上の連結テキストボックスオブジェクトのグループに含まれること、及び２）前記２つ以上の連結テキストボックスオブジェクトのグループ内の前記テキストボックスオブジェクトの相対位置、のうちの少なくとも１つを示すステップと
を含むことを特徴とする方法。
【請求項１４】
前記テキストボックスオブジェクトを、前記テキストボックスオブジェクトに関連付けられた少なくとも１つの視覚補助機能で表示する前記ステップ（ｂ）は、前記テキストボックスオブジェクトを色付き境界で表示するステップを含むことを特徴とする請求項１３に記載の方法。
【請求項１５】
前記テキストボックスオブジェクトを、前記テキストボックスオブジェクトに関連付けられた少なくとも１つの視覚補助機能で表示する前記ステップ（ｂ）は、連結テキストボックスチェーン内の前記テキストボックスオブジェクトの前記相対位置を示す数字を前記テキストボックスオブジェクトに表示するステップを含むことを特徴とする請求項１３に記載の方法。
【請求項１６】
プロセッサがグラフィカルユーザインタフェースをディスプレイ上に提供する方法を実施するようにプログラムするコンピュータ実行可能命令を有するコンピュータ読み取り可能な記憶媒体であって、
前記方法は
（ａ）テキストボックスオブジェクトを生成するステップと、
（ｂ）前記テキストボックスオブジェクトを、前記テキストボックスオブジェクトに関連付けられた少なくとも１つの視覚補助機能で表示するステップであって、前記少なくとも１つの視覚補助機能は、１）前記テキストボックスオブジェクトが２つ以上の連結テキストボックスオブジェクトのグループに含まれること、及び２）前記２つ以上の連結テキストボックスオブジェクトのグループ内の前記テキストボックスオブジェクトの相対位置、のうちの少なくとも１つを示すステップと
を含むことを特徴とするコンピュータ読み取り可能な記憶媒体。
【請求項１７】
前記テキストボックスオブジェクトに関連付けられた前記少なくとも１つの視覚補助機能を前記ディスプレイ上に表示する前記ステップは、前記テキストボックスオブジェクトを、前記２つ以上の連結テキストボックスオブジェクトのグループ内の前記テキストボックスオブジェクトが表示される色で表示するステップを含むことを特徴とする請求項１６に記載のコンピュータ読み取り可能な記憶媒体。
【請求項１８】
前記テキストボックスオブジェクトに関連付けられた前記少なくとも１つの視覚補助機能を前記ディスプレイ上に表示する前記ステップは、前記テキストボックスオブジェクト上に逐次的なインジケータを表示するステップであって、該逐次的なインジケータは前記２つ以上の連結テキストボックスオブジェクトのグループ内のテキストボックスオブジェクトの相対位置を示す、ステップを含むことを特徴とする請求項１７に記載のコンピュータ読み取り可能な記憶媒体。
【請求項１９】
前記テキストボックスオブジェクトが前記２つ以上の連結テキストボックスオブジェクトのグループから分離されるときに、前記テキストボックスオブジェクトの色及び逐次的なインジケータを変更するステップをさらに含むことを特徴とする請求項１８に記載のコンピュータ読み取り可能な記憶媒体。
【請求項２０】
前記ユーザインタフェース選択装置によりスクリーンカーソルが前記テキストボックスオブジェクト上にあるとき、前記テキストボックスオブジェクトの色及び前記テキストボックスオブジェクトの逐次的なインジケータをただ表示するだけであるステップをさらに含むことを特徴とする請求項１８に記載のコンピュータ読み取り可能な記憶媒体。